(57)【特許請求の範囲】
【請求項１】
携帯機器が特定の条件を満たす場合に前記携帯機器内で注意散漫防止安全プロトコル動作を起動する方法であって、当該方法は、
前記携帯機器が、前記特定の条件に関連した発見情報トリガ信号を送信するように構成された少なくとも１つのプロトコルアクティベータを発見する工程であって、前記発見情報トリガ信号は前記プロトコルアクティベータのＵＵＩＤ（Ｕｎｉｑｕｅ  Ｕｎｉｖｅｒｓａｌ  Ｉｄｅｎｔｉｆｉｃａｔｉｏｎ）コードに相当し、当該コードの少なくとも一部が：
前記プロトコルアクティベータが動作する特定環境、および
前記プロトコルアクティベータが動作する特定環境内の特定のワーキンググループ情報、の少なくともいずれかを同定するものである、工程と、
前記携帯機器が、前記発見情報トリガ信号に少なくとも部分的に基づき前記携帯機器内にある注意散漫防止安全プロトコル動作を起動する工程であって、このプロトコル動作は、国またはプロトコル執行機関が作成した国の法律または法律規則に基づいている、工程とを備えることを特徴とする方法。
【請求項２】
請求項１に記載の方法において、前記特定の条件は、前記携帯機器が特定の環境に進入する場合に該当することを特徴とする方法。
【請求項３】
請求項２に記載の方法において、前記発見する工程は、前記特定の環境内で少なくとも１つのプロトコルアクティベータを探す工程を備えることを特徴とする方法。
【請求項４】
請求項３に記載の方法において、前記発見する工程は、前記発見情報トリガ信号を得るために少なくとも１つのリクエストを送信する工程をさらに備えることを特徴とする方法。
【請求項５】
請求項１に記載の方法において、前記発見情報トリガ信号は、前記少なくとも１つのプロトコルアクティベータに関連した機器名及び機器種類に対応し、前記機器種類は前記特定の条件の情報であることを特徴とする方法。
【請求項６】
請求項１に記載の方法において、前記起動する工程は、前記発見情報トリガ信号に対応する安全プロトコル動作をルックアップテーブルから特定する工程を備えることを特徴とする方法。
【請求項７】
請求項２に記載の方法において、前記少なくとも１つのプロトコルアクティベータは、前記特定の環境に関連した既定の機器名及び種類によって特徴付けられる予め標準化されたトランスミッタに該当することを特徴とする方法。
【請求項８】
請求項２に記載の方法において、前記特定の環境は、輸送車両、教室、矯正施設、空港、飛行機、法廷、病院、教会、映画館、飛行区域、危険地帯、寝室、及び観客席の少なくともいずれか１つに該当することを特徴とする方法。
【請求項９】
請求項１に記載の方法において、前記安全プロトコル動作は、前記携帯機器の機能の少なくとも部分的な不能化に該当することを特徴とする方法。
【請求項１０】
請求項１に記載の方法において、前記少なくとも１つのプロトコルアクティベータは、ブルートゥースセンサ、無線周波数識別子（ＲＦＩＤ）タグリーダ、ＥｄＯｃｅａｎセンサ、トランスファージェット（ＴｒａｎｓｆｅｒＪｅｔ）センサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビー（Ｚｉｇｂｅｅ）センサ、近距離無線通信（ＮＦＣ）センサ、及び、ワイヤレスパーソナルエリアネットワーク（ＷＰＡＮ）センサの少なくともいずれか１つに該当することを特徴とする方法。
【請求項１１】
特定の環境内で携帯機器の機能を制御する方法であって、当該方法は、
少なくとも１つのトランスミッタが、前記特定の環境内でトリガ信号をブロードキャストする工程と、
携帯機器が、前記トリガ信号に関連した前記少なくとも１つのトランスミッタのＵＵＩＤ（Ｕｎｉｑｕｅ  Ｕｎｉｖｅｒｓａｌ  Ｉｄｅｎｔｉｆｉｃａｔｉｏｎ）コードを受信する工程であって、当該コードは前記少なくとも１つのトランスミッタが動作する前記特定の環境内の特定のワーキンググループを同定するものである、工程と、
携帯機器が、前記少なくとも１つのトランスミッタのＵＵＩＤコードに少なくとも部分的に基づき前記携帯機器内のプロトコル命令動作のセットを実施して前記携帯機器の機能を制限する工程と、を備えることを特徴とする方法。
【請求項１２】
請求項１１に記載の方法において、前記特定の環境は、以下の環境、輸送車両、教室、矯正（刑務所）施設、空港、飛行機、法廷、病院、教会、映画館、飛行区域、危険地帯、寝室、及び観客席の少なくともいずれか１つに該当することを特徴とする方法。
【請求項１３】
請求項１１に記載の方法において、前記トリガ信号をブロードキャストする工程は、特定の条件の開始を検出する作動機構に基づき前記少なくとも１つのトランスミッタを起動する工程を備えることを特徴とする方法。
【請求項１４】
請求項１１に記載の方法において、前記実施は、名前、アドレス、及びワーキンググループに関連した前記トリガ信号に対応する前記プロトコル命令動作のセットを特定する工程を備えることを特徴とする方法。
【請求項１５】
請求項１４に記載の方法において、前記実施は、前記携帯機器の機能の少なくとも部分的な不能化を備え、当該部分的な不能化は、国またはプロトコル執行機関が作成した国の法律または法律規則に基づくことを特徴とする方法。
【請求項１６】
請求項１３に記載の方法において、前記少なくとも１つのトランスミッタは、ブルートゥースセンサ、無線周波数識別子（ＲＦＩＤ）タグリーダ、ＥｄＯｃｅａｎセンサ、トランスファージェット（ＴｒａｎｓｆｅｒＪｅｔ）センサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビー（Ｚｉｇｂｅｅ）センサ、近距離無線通信（ＮＦＣ）センサ、及び、ワイヤレスパーソナルエリアネットワーク（ＷＰＡＮ）センサの少なくともいずれか１つに該当することを特徴とする方法。
【請求項１７】
請求項１１に記載の方法において、前記プロトコル命令動作のセットは、少なくとも１つの既定のプログラム可能な番号への緊急電話を許可することを特徴とする方法。
【請求項１８】
請求項１１に記載の方法において、前記機能は、電話機能、テキスト機能、メール機能、前記携帯電話に関連したソーシャルネットワーク機能の少なくともいずれか１つに該当することを特徴とする方法。
【請求項１９】
請求項１１に記載の方法において、前記少なくとも１つのトランスミッタは、前記特定の環境に関連した名前、アドレスの少なくともいずれか１つを備えることを特徴とする方法。
【請求項２０】
携帯機器内で安全プロトコルを実施するために携帯機器を操作するシステムであって、当該システムは、
少なくとも１つのトランスミッタからＵＵＩＤ（Ｕｎｉｑｕｅ  Ｕｎｉｖｅｒｓａｌ  Ｉｄｅｎｔｉｆｉｃａｔｉｏｎ）コードを受信するよう構成された通信モジュール（２１４）であって、当該コードは前記少なくとも１つのトランスミッタが動作する前記特定の環境内の特定のワーキンググループを同定するものである、通信モジュールと、
前記ＵＵＩＤコードに少なくとも部分的に基づき前記携帯機器内のプロトコル動作を実行するように構成された電話承認モジュール（１０８）であって、このプロトコル動作は、国またはプロトコル執行機関が作成した国の法律または法律規則に基づいている、電話承認モジュールを備えることを特徴とするシステム。
【請求項２１】
請求項２０に記載のシステムにおいて、前記少なくとも１つのトランスミッタは、前記特定の環境の種類情報とともに機器名を備えることを特徴とするシステム。
【請求項２２】
請求項２０に記載のシステムにおいて、前記ＵＵＩＤコードに少なくとも部分的に基づき前記プロトコル動作を特定するよう構成された安全プロトコルモジュール（２１２）をさらに備えることを特徴とするシステム。
【請求項２３】
特定の環境内で携帯機器内の注意散漫防止安全プロトコル動作を起動する方法であって、当該方法は、
プロトコルアクティベータが、前記特定の条件においてトリガ信号をブロードキャストする工程と、
前記プロトコルアクティベータが、ブロードキャストされるトリガ信号に発見情報を含める工程とを具え、前記トリガ信号に付随する発見情報は前記プロトコルアクティベータのＵＵＩＤ（Ｕｎｉｑｕｅ  Ｕｎｉｖｅｒｓａｌ  Ｉｄｅｎｔｉｆｉｃａｔｉｏｎ）コードに相当し、当該ＵＵＩＤコードの少なくとも一部が少なくとも前記プロトコルアクティベータが動作する特定の環境内の特定のワーキンググループを同定するものであり、
前記プロトコルアクティベータからブロードキャストされるトリガ信号内の発見情報により、前記特定の環境内で前記携帯機器内の注意散漫防止安全プロトコル動作が起動することを特徴とする方法。
【請求項２４】
請求項２３に記載の方法において、前記プロトコルアクティベータによるブロードキャストは、前記特定の環境内の所定の限られた範囲内に前記トリガ信号をブロードキャスト送信する工程を含むことを特徴とする方法。
【請求項２５】
請求項２３に記載の方法において、前記プロトコルアクティベータに関するＵＵＩＤコードは、特定の条件の情報であることを特徴とする方法。
【請求項２６】
請求項２３に記載の方法において、前記発見情報は、前記プロトコルアクティベータに関連した機器名及び機器種類のうちの少なくとも１つに対応し、前記機器名及び機器種類のうちの少なくとも１つは特定の条件の情報であることを特徴とする方法。
【請求項２７】
請求項２３に記載の方法において、前記プロトコルアクティベータは前記特定の環境に関連する所定の機器名及び種類によって特徴づけられる少なくとも１つのトランスミッタに対応することを特徴とする方法。
【請求項２８】
請求項２３に記載の方法において、前記特定の環境は、輸送車両、教室、矯正施設、空港、飛行機、法廷、病院、教会、映画館、飛行区域、危険地帯、寝室、及び観客席の少なくとも１つに該当することを特徴とする方法。
【請求項２９】
請求項２３に記載の方法において、前記プロトコルアクティベータがトリガ信号をブロードキャストする工程は、特定の条件の開始を検出する作動機構に基づき少なくとも１つのトランスミッタを起動する工程を備えることを特徴とする方法。
【請求項３０】
請求項２９に記載の方法において、前記特定の環境は輸送車両内であり、前記トランスミッタの起動は輸送車両の少なくとも１つの要素の状態または位置に基づき、この起動は国またはプロトコル執行機関が作成する国の法律または法律規則に基づくことを特徴とする方法。
【請求項３１】
請求項２３に記載の方法において、さらに、前記発見情報を取得する少なくとも１つの要求に返信する工程を備えることを特徴とする方法。
【請求項３２】
請求項２３に記載の方法を実行するよう構成されたプロトコルアクティベータ（１０６）。
【発明の詳細な説明】
【技術分野】
【０００１】
本発明は概して、標準のセルラー／携帯機器の注意散漫防止及び安全プロトコルに関する。特に、本発明は、例えばプロトコルを使用可能にするセンサを包含する特定の環境又は配置又は領域に携帯機器が進入する際などの携帯機器が特定の条件を満たす場合に、携帯通信機器（携帯機器、セルフォン、スマートフォン、携帯電話、スカイプ（skype）フォン、衛星電話、ラップトップ型コンピュータ、ネットブック、ネットパッドなどとして呼ばれて公知である）の機能を制御するための、携帯機器のプロトコル及びプロトコルセンサの開発及び標準化に関する。
【背景技術】
【０００２】
過去２０〜３０年にわたってセルラー／無線産業は飛躍的に進歩してきた。世界中で、携帯機器は、日常生活のいたるところにある一部になってきた。携帯機器の異常な増殖は信じられないと言わざるを得ない。しかしながら、それによって、大きな社会的に多大な損失を被る多くの主要な課題に直面してきた。すべての技術的な進歩及び発展は所定の関連した挑戦を有しており、セルフォンも例外ではない。多くの固有の生命を脅かす問題は光速の勢いを得てきている。こうした問題は、携帯機器によるドライバーの注意散漫から生じる事故の増加、教室の崩壊及びカンニングの増加、密輸品の増加、ギャングの活動、及び、刑務所システム内からの殺害の脅し、などを含んでいる。これらの問題には莫大なコストが伴う。例えば、世界保険機関（ＷＨＯ）は、注意散漫な運転だけで、先進国にＧＤＰの１〜３％の犠牲を払わせていると予測している。
【０００３】
車の運転中の問題を解決するためにいくつかの携帯アプリケーションの試みがなされてきており、及び、様々な刑務所制度内でいくつかのセル周波数の電波妨害の試みがなされてきた。しかしながら、こうした解決策は、例えば、様々な国における現行法、アプリケーションのアンインストール、ブルートゥースのオフ、ブルートゥースのペアリング要求、ＧＰＳの潜在及び信号の消滅、多数の雑多な携帯プラットフォーム、連続的な更新、閉じたプラットフォーム、バッテリの漏れ出し、及びスカイプ（Skype：商標）への割り当ての不能化、及び、囚人が容易に取得する衛星電話などの測り知れない障害に直面している。
【０００４】
すべての解決策提供者に直面する最も顕著な障害は、携帯機器産業内における共通の基準の欠如である。現在では、携帯機器メーカーは、標準の安全技術を発展させる共通のプラットフォームを有していない。標準がないので、単純な安全の特徴でさえ、すべての携帯機器にわたって共通に適用することができない。また、安全が世界的な関心事であるので、携帯機器を選択するためのみに適用され得る解決策は好ましくない。これらの社会問題に対抗するため、すべての携帯通信機器のための共通の注意散漫防止及び安全技術を設計して実施することに対してよく感じる要求が存在する。
【０００５】
開放された、閉鎖された及び部分的に閉鎖された構造と組み合わせられる何百もの様々なセルフォンのスタイル及びモデルがあるので、すべての携帯電話のアーキテクチャのための単一の単純な総合的な解決策は不可能であると考えられている。こうした障害にも拘わらず、社会のために利益になるセルラーの注意散漫を防止するための安全基準及び方法を効果的に実施するための課題が、適時に混乱を起こさせない方法で実行されなければならない。
【０００６】
さらに、その他の現在の障害は、限定されないものの、ブルートゥース機器との非ペアリングの通信の迅速な検出及びコネクションレス、セルラーのバッテリの寿命の低下、迅速で容易なアプリケーションの無能化を含む。
【０００７】
さらに、既存のシステム及び方法は、単一の環境のための部分的な解決策を提供しているに過ぎない。例えば、多くの国で違法である刑務所での電波妨害は、緊急電話を禁止しており、及び従って、学校や病院などでは好ましくない。注意散漫な運転のための解決策を提供する技術は、自動的な共通のアプリケーションを不可能にする何らかの形態のペアリングを必要とする。ペアリングのジレンマは各携帯機器の車の仕様を本質的に形成する。例えば、こうしたシステムが若者の車に設置される場合でさえ、もし若者が親の車又は兄弟の車又は友達の車を運転する場合、携帯のアプリケーションは、完全に新しいペアリングがその特定の車に包含されない限り、作動しない。また、それは、変更されたシステムに対応するために各システムの変更又はシステムのアップグレードのための新たなソフトウェアのアップロードを必要とする問題を作り出す。こうしたシステムは、システムがもはや適切に作動しないので、親及び雇用主を苛立たせる。また、親及び雇用主は、彼らが、閉鎖されたアーキテクチャを有する電話をたまたま購入して、それによって、システムの機能の禁止を抑制する場合に、任意の利用可能な作動システムを有していない。
【０００８】
従って、携帯の注意散漫を防止するための新しい安全強制システム及び方法が、すべての新しい既存の携帯電話のために容易に立案されて採用され得るように、安全プロトコルの標準化されたセットを採用して実施するための携帯通信技術に対する単純で費用効率の高い改善策を必要としている。また、注意散漫防止プロトコルを組み込まれた携帯機器と協働して作動するためのアドレスコードの共通のセットを適用するためにブルートゥース技術の機器に対する単純で費用効果の高い改善策を必要としている。
【発明の概要】
【０００９】
従って、本発明の目的は、携帯機器のファームウェア（システムメモリ又はシステムイメージ）内に組み込まれるべき標準の携帯通信機器の注意散漫防止及び安全プロトコルのセットを提供すること、及び、携帯機器の注意散漫を防止するための安全強制システム及び方法を提供するために携帯通信産業を通じて共通に採用されるべき様々な適用可能なセンサを提供すること、である。
【００１０】
本発明のさらなる目的は、プロトコル使用可能な携帯機器と協働して、提案された携帯注意散漫防止プロトコルとの通信を容易にするための標準のブルートゥースアドレスコードの新しい有用なセットを提供することである。
【００１１】
本発明のさらに別の目的は、ドライバーが危険な又は違法な方法で車両を運転している時は必ず車両の外側で目に見える信号を生成する安全強制システムを提供することである。
【００１２】
また、本発明の目的は、将来の安全向上の単純で一様な採用の目的のために携帯機器のファームウェア内に組み込まれるべき携帯機器安全プロトコルのセットを提供することである。
【００１３】
標準の携帯通信機器の安全及び注意散漫防止プロトコルを提供する方法及びシステムが開示される。一実施形態では、携帯機器が特定の条件を満たす場合に携帯機器の注意散漫防止安全プロトコル動作を起動する方法が開示される。当該方法は、特定の条件に関連した発見情報を送信するように構成された少なくとも１つのプロトコルアクティベータを発見する工程を有している。当該方法はさらに、発見情報に少なくとも部分的に基づき携帯機器の安全プロトコル動作を起動する工程をさらに有している。一実施では、特定の条件は、携帯機器が特定の環境に進入する場合、及び、携帯機器が進入するか又は特定の数列が携帯機器からダイアルされる場合である２つの事象のうちの少なくとも１つに該当する。
【００１４】
特定の環境内で携帯機器の機能を制御する方法が開示される。一実施では、当該方法は、特定の環境内でトリガ信号をブロードキャストする工程と、トリガ信号及び特定の環境に関連した発見情報を特定する工程と、を有している。当該方法は、発見情報及び特定の環境に少なくとも部分的に基づき携帯機器のプロトコル命令動作のセットを実施する工程をさらに有している。プロトコル命令動作のセットのこうした実施は携帯機器の機能を制限する。
【００１５】
携帯機器で安全プロトコルを実施するシステムが開示される。一実施によれば、当該システムは、発見情報に少なくとも部分的に基づき携帯機器のプロトコル動作を実行するように構成された電話承認モジュールを有している。発見情報は、特定の環境で１以上のセンサによって送信され、及び、携帯機器が動作する特定の環境に対応する。
【００１６】
輸送車両内で携帯機器の動作を制御する方法が開示される。一実施によれば、当該方法は、車両内の既定の制限範囲内でトリガ信号をブロードキャストするように構成されたセンサを起動する工程を有している。当該方法は、トリガ信号に少なくとも部分的に基づき携帯機器のプロトコル動作を実施する工程をさらに有している。センサの起動は、車両移動を特定するように構成された１以上の車両部品及び／又は傾斜スイッチ機構の状態又は位置に基づいている。
【００１７】
車両乗員安全システムが開示される。一実施では、当該システムは、信号処理のための第１演算システムと、車両の乗客による使用のためのトリガ信号エミッタと、を備えるスマートフォンを有している。トリガ信号エミッタは、乗客が車両内にいる時に第２演算システムと通信する。第２演算システムは、車両の動作機能を制御するように構成されている。当該システムは、車両が動作をいつ決定するかを特定するため、及び、トリガ信号エミッタからの信号を検出するため、第２演算システムに関連した処理ロジックをさらに有している。検出は、車両の決定された動作後の既定の時間にわたって車両内に乗客が残ったままである場合に遭難信号を送信するために第２演算システムが起動されるように生じる。
【００１８】
安全プロトコルを強制するシステムが開示される。一実施では、当該システムは、携帯機器内に構成される安全プロトコルに基づき危険な運転を特定するために、輸送車両内の少なくとも１つの車両部品と通信するように構成された携帯機器を有している。当該システムは、携帯機器による特定に基づき目に見える警告信号を発するように構成された外部車両警告信号インジケータ（ＷＳＩ）をさらに有している。
【００１９】
携帯安全プロトコルを実施するシステムが開示される。一実施では、当該システムは、外部電源なしで発見情報を送信するように構成された電源内蔵ブルートゥースセンサアセンブリを有している。当該システムは、発見情報に基づき安全プロトコル動作を特定して実施するように構成された携帯機器をさらに有している。発見情報は、電源内蔵センサの名前、及び、電源内蔵ブルートゥースセンサが動作する特定の環境の種類、に対応する。
【００２０】
上の関連した目的の達成のため、本発明は、添付の図面に図示された形態で組み込まれてよいものの、図面が単なる例示であるということ、及び、図示された特定の構成に対して変更がなされてよいことに留意されたい。
【００２１】
本発明の上の利点及び他の利点並びに特徴をさらに明確にするため、本発明のさらに特定の説明が、添付の図面に図示されるその特定の実施形態を参照してなされる。これらの図面は、本発明の典型的な実施形態のみを図示しており、及び従って、その範囲を限定するものとして考慮されないことに留意されたい。本発明は、添付の図面とともにさらなる特異性及び詳細によって記述されて説明される。
【図面の簡単な説明】
【００２２】
【図１】図１は、一実施形態に係る標準の携帯機器安全プロトコルを提供するシステムを示す図である。
【図２】図２は、一実施形態に係る携帯機器のブロック図を示す図である。
【図３】図３は、一実施形態のブルートゥースセンサに実装されたブルートゥースアドレスコードを示す図である。
【図４】図４は、一実施に係る電源内蔵ブルートゥースセンサアセンブリを示す図である。
【図５】図５は、一実施形態に係る安全プロトコルの強制のためのシステムを示す図である。
【図６】図６は、一実施形態に係る、車両部品、エンジン制御ユニット、及び車両内の携帯機器の配置を示す図である。
【図７】図７は、一実施形態に係る子供又は車両乗員の安全を保証するシステムを示す図である。
【図８】図８は、一実施形態に係る携帯機器の安全プロトコル動作を起動する方法を示す図である。
【図９】図９は、一実施形態に係る特定の環境内での携帯機器の機能を制御する方法を示す図である。
【図１０】図１０は、一実施形態に係る輸送車両内の携帯機器の動作を制御する方法を示す図である。
【発明を実施するための形態】
【００２３】
前述したように、携帯機器が提供する多くの利点は、ドライバーの注意散漫、刑務所での機密保護違反、教室でのカンニングなどに起因した出来事などの所定の生活を脅かす問題と同時に存在する。従来の解決策は、共通性、単純性、及び費用効率の不足によって十分ではないことが証明された。今日の携帯産業に向けられる最も大きな挑戦は、様々なメーカーからの携帯機器にまたがって実施され得る安全プロトコルの展開のための標準プラットフォームがないことである。
【００２４】
この目的のため、携帯機器が特定の条件を満たす場合に携帯機器の安全プロトコル動作を起動するために標準の安全方法及びシステムが提案される。一実施形態では、当該方法は、特定の条件に関連した発見情報を送信するように構成された少なくとも１つのプロトコルアクティベータを発見する工程を有している。当該方法は、発見情報に少なくとも部分的に基づき携帯機器内で安全プロトコル動作を起動する工程をさらに有している。一実施では、特定の条件は、携帯機器が特定の環境に進入する場合及び携帯機器が進入する場合又は特定の数列が携帯機器からダイアルされる場合である２つの事象のうちの少なくとも１つに該当する。
【００２５】
開示された安全プロトコル動作は、１以上の既定の又はプログラム可能な番号への緊急電話を許可する。例えば、特定の環境のいずれの場合でも、安全プロトコルは、例えば合衆国の「９１１」、インドの「１１２」などの緊急時の特別な番号に対して電話がなされることを許容する。こうした特別な番号は、任意のプロトコルの命令動作に対する例外として前もってプログラムされることが可能であってかつ含まれることが可能である。
【００２６】
図１は、一実施形態に係る標準のセルラー安全プロトコルを提供するシステム１００を示している。図示するように、システム１００は、携帯機器が特定の条件を満たす場合に安全プロトコルを実施する携帯機器１０２を有している。文中、用語「携帯機器」は、通信ネットワークを介して無線媒体を使用する、セルラーフォン、スマートフォン、セルフォン、無線電話、又は電話及びテキストメッセージの機能を提供する他の同様の機器に当てはまり得る。さらに、継続した説明の目的のため、携帯機器１０２は、機器の会話／テキストの周波数帯に加えて信号を送信する及び受信する内蔵機能を有する通信機器に該当する。可能な方法は、限定されないものの、ＮＦＣ、ブルートゥース（Bluetooth）、ＷｉＦｉ、衛星、スカイプ（Skype）、ＲＦＩＤ、ジグビー（ZigBee）、ＥｄＯｃｅａｎ、トランスファージェット（TransferJet）、超広帯域、ＵＷＢ、無線ＵＳＢ、ＤＳＲＣ、ＩｒＤＡａ、及び無線パーソナルエリアネットワーク（ＷＰＡＮ）などを含む。例えば、携帯機器１０２は、ブルートゥースの送信及び受信の能力を有することが可能なブルートゥースを使用可能であり得る。
【００２７】
一実施形態では、特定の条件は、例えば携帯機器１０２が特定の環境に進入すること、又は、携帯機器などから特定の数列をダイアルすることなどの事象を含む。
【００２８】
特定の条件はまた、限定されないものの、違法な又は危険な車両の運転、事故、けんか、車両のエアバッグの展開などの事象、若しくは即座の又は適時の注意を必要とする他の条件に該当し得る。提案された標準の携帯機器安全プロトコルは、特定の条件の任意のセットが標準的な認証機関によって包含され得るように実施されることが可能である。いくつかの場合の特定の条件のみが開示されたものの、携帯機器の安全プロトコルを実施する提案されたシステム及び方法は、社会及び法執行機関の将来の要求に適応するために特定の条件のセットの将来の変更及び／又は更新を許容することが理解されよう。
【００２９】
特定の環境は、輸送車両、教室、矯正施設、空港、飛行機、法廷、病院、教会、映画館、飛行区域、危険地帯、観客席、家の一室、又は携帯機器上の動作機能を不能にすることが所望され得る任意の他の環境を含む。
【００３０】
安全プロトコルの実施のための例示のシナリオでは、ユーザ１０４が、携帯機器１０２を持ち歩いており、及び、刑務所又は病院などの特定の環境に進入する（それによって、特定の条件を満たす）。システム１００は、特定の環境の様々な位置に設置された１以上のプロトコルアクティベータ（又は「センサ」）１０６（例えば１０６ａ、１０６ｂ、及び１０６ｃ）を有している。一実施形態では、１以上のプロトコルアクティベータ１０６は、例えば、限定されないものの、ブルートゥースセンサ、無線周波数識別子（ＲＦＩＤ）タグリーダ、ＥｄＯｃｅａｎセンサ、トランスファージェットセンサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビーセンサ、近距離無線通信（ＮＦＣ）センサ、及び、無線パーソナルエリアネットワーク（ＷＰＡＮ）センサなどの技術を包含する信号を送信及び受信することが可能な１以上のセンサに該当する。携帯機器１０２が、そうした安全及び注意散漫防止プロトコルを予め備えており、及び、様々な実施形態では、既定の通信範囲内で携帯機器１０２とプロトコルアクティベータ１０６との間の通信をサポートすることが理解されよう。さらに、プロトコルアクティベータ１０６は、特定の環境に関連した既定の機器名又は種類又はアドレスなどによって特徴付けられている。
【００３１】
携帯機器１０２は、携帯機器１０２の安全プロトコルの起動と連動する電話承認モジュール（ＣＡＭ）（ソフトウェア命令、携帯アプリケーションなどとも呼ばれる）１０８を有している。例示の実施では、プロトコルアクティベータ１０６は、特定の環境に関連した発見情報を送信する（トリガ信号を送信する）。発見情報は、プロトコルアクティベータ１０６に関連した機器名又は種類、又はアドレスを含み得る。プロトコルアクティベータ１０６の種類は特定の環境についての情報を提供する。電話承認モジュール１０８は、携帯機器１０２がプロトコルアクティベータ１０６の通信範囲に進入するとすぐにプロトコルアクティベータ１０６を発見する（又は、プロトコルアクティベータ１０６からの発見情報又はトリガ信号を受信する）。代替の実施形態では、電話承認モジュール１０８は、携帯機器１０２に、プロトコルアクティベータ１０６が受動センサに該当する場合に追加の発見情報を得るために１以上のリクエスト信号を送信することを命令し得る。
【００３２】
ＣＡＭ１０８は、発見情報に対応する注意散漫防止安全プロトコル動作を特定して、携帯機器１０２の安全プロトコル動作を起動する。安全プロトコル動作は、携帯機器１０２に関連した１以上の機能を部分的に又は完全に可能にする又は不能にすることに該当し得る。こうした機能は、既存の電話機能、テキスト機能、「オン」又は「オフ」の切り替え機能、サイレント動作モードなどを含み得る。安全プロトコル動作は、携帯機器１０２が所定の機能を自動的に実行する又は実行しないように構成された携帯機器１０２の操作の特別モードにも該当し得る。特別な動作モードは、特定の環境に関連した既定の行いのコード、又は、特定の条件の開始時に携帯機器１０２が自動的に実行する他の特別な動きに該当し得る。
【００３３】
所定の識別処理又はタグ付けに基づき各ユーザを区別するような方法で安全プロトコルを実施することが望ましい。例えば、ユーザは、特定のワーキンググループに属するものとしてユーザを識別することをシステム１００に可能にするＲＦＩＤタグ１１０を着用し得る。携帯機器１０２のユーザ１０４は、例えば、限定されないものの、侵入者、守衛、ドライバー、窃盗犯などの人々の様々なグループに該当し得ることが理解されよう。実施の１つでは、ＣＡＭ１０８は、特定の環境内の特定のワーキンググループに関連した追加情報を集める。ワーキンググループは、安全プロトコル動作に対する例外として処置されることが可能な携帯機器を持ち歩く人々の指定のグループに該当し得る。システム１００は、特定の環境内に彼らが携帯機器を持ち歩く場合でさえ、特別な特権を有するそうしたワーキンググループの創設を可能にする。例えば、刑務所などの特定の環境内の守衛又は職員は、緊急時（刑務所の暴動の場合など）に携帯機器１０２を使用する必要があり得る。こうした場合には、ＣＡＭ１０８は、ワーキンググループの識別時、特定の環境及び識別されたワーキンググループの種類に対応する安全プロトコル動作を実施し得る。
【００３４】
一実施では、携帯機器１０２で実施されるプロトコル命令動作は、１以上の既定の又はプログラム可能な番号への緊急電話を可能にする。例えば、特定の環境のいずれかの場合、安全プロトコルは、例えば合衆国の「９１１」、インドの「１１２」などの緊急時の特別な番号に電話がなされることを許容する。そうした特別な番号は、任意のプロトコル命令動作に対する例外として前もってプログラムされて含まれることが可能である。別の例では、安全プロトコルは、携帯機器が子供によって持ち歩かれる場合に特別な番号（親の番号）に電話がなされることを許容する。こうした特別な番号のプログラミングは、携帯電話メーカー又はサービスプロバイダによって提供される特徴であってよい。安全プロトコルは、こうした特徴に適応するように構成され得る。
【００３５】
図２は、一実施形態に係る携帯機器１０２のブロック図を示している。携帯機器１０２は、任意の通信機器、セルラーフォン、スマートフォン、パーソナルデジタルアシスタント（ＰＤＡ）、携帯ページング機器、携帯ゲーム機器、ネットブック、ネットパッド、ラップトップ型コンピュータ、又は、電話を掛ける／受ける、テキストメッセージ又は電子メールを送信する／受信する、ビデオゲームをプレイするための１以上の機能を提供するコンピュータに該当し得る。ごく基本的な構成では、携帯機器１０２は通常、少なくとも１つの処理ユニット２０２とシステムメモリ２０４とを有している。携帯機器の正確な構成及びタイプに応じて、システムメモリ２０４は、揮発性（例えばＲＡＭ）、不揮発性（例えばＲＯＭ、フラッシュメモリなど）、又は、その２つの組み合わせであってよい。システムメモリ２０４は通常、オペレーティングシステム又はシステムイメージと、１以上のプログラムモジュール２０６と、を有しており、及び、プログラムデータ２０８を有してよい。プロセッサ２０２は、１以上の既定の機能を実行するためにプログラムモジュールとして記憶された命令又はアプリケーションを実行するためにメモリ２０４にアクセスする。メモリ２０４は、プログラムデータ２０８の関連データを記憶している。
【００３６】
プログラムモジュール２０６は、電話承認モジュール１０８と、クエリモジュール２１０と、安全プロトコルモジュール２１２と、通信モジュール２１４と、他のモジュール２１６と、を有している。プログラムデータ２０８は、発見情報２１８と、ルックアップテーブル（ＬＵＴ）２２０と、ブルートゥースアドレスコード２２２と、他のデータ（フラグ値、変数）２２４と、を含む。さらに、携帯機器１０２は内蔵アンテナ２２６も有している。携帯機器１０２が、すべての現代の携帯電話又はスマートフォンで利用可能な様々な特徴を有し得ることが理解されよう。継続した説明との関連性見出す選択されたいくつかの特徴、機能、及びモジュールのみが開示されてきた。例えば、携帯機器１０２は、例えばキーパッド、スタイラス、又はペン、音声入力装置、タッチ入力装置などの入力装置も有し得る。例えばディスプレイ２２８、スピーカなどの出力装置も含まれ得る。ディスプレイ２２８は、液晶ディスプレイ、又は携帯機器で通常使用される任意の他のタイプのディスプレイであってよい。ディスプレイ２２８は、タッチセンサ方式であってよく、及びそして、入力装置として機能する。携帯機器１０２は、携帯機器１０２のユーザによって着用される従業員バッジ上のＲＦＩＤタグを検出して読み取るように構成されたＲＦＩＤリーダ２３０も有している。こうした機器は、当該技術分野で周知であり、ここで詳細に説明する必要はない。
【００３７】
通信モジュール２１４は、携帯機器１０２がネットワーク上で他の機器と通信することを可能にする。通信モジュール２１４は通信媒体の一例である。通信媒体は通常、コンピュータ読み取り可能な命令、データ構造、プログラムモジュール、又は例えば搬送波又は他の搬送機構などの変調データ信号内の他のデータによって具体化されてよく、及び、任意の情報提供媒体を有している。用語「変調データ信号」は、信号内の情報を符号化するような方法で設定される又は変更される１以上の特性を有する信号を意味する。例えば、限定されないものの、通信媒体は、例えば有線ネットワーク又は直線ワイヤ接続などの有線媒体、及び、例えば音声、ＲＦ、ブルートゥース、ジグビー、Ｗｉ−Ｆｉ、Ｓｋｙｐｅ、衛星及び他の無線媒体などの無線媒体を含む。本願明細書で使用される用語コンピュータ読み取り可能な媒体は記憶媒体及び通信媒体の両方を含む。
【００３８】
１以上のアプリケーションプログラムが、メモリ２０４内にロードされてよく、及び、他のモジュール２１６に記憶されたオペレーティングシステム上で動作させられてよい。アプリケーションプログラムの例は、電話ダイアラープログラム、電子メールプログラム、スケジューリングプログラム、ＰＩＭ（個人情報管理）プログラム、文書処理プログラム、集計表プログラム、インターネットブラウザプログラムなどを含む。携帯機器１０２は、メモリ２０４内に不揮発性記憶装置（図示せず）も有している。不揮発性記憶装置は、携帯機器１０２の電源が落とされる／オフにされる場合に失われてはいけない永続性の情報を記憶するために使用されてよい。アプリケーションは、例えば電子メールアプリケーションによって使用される電子メール又は他のメッセージ、ＰＩＭによって使用される連絡先、スケジューリングプログラムによって使用される約束情報、文書処理プログラムによって使用される文書などの記憶装置内の情報を使用して記憶し得る。携帯機器１０２は、１以上のバッテリとして実装され得る電源（図示せず）を有している。電源は、例えばＡＣアダプタ又はバッテリを補充する又は再充電する電源ドッキング受け台などの外部電源をさらに有してよい。
【００３９】
携帯機器１０２は、例えばＬＥＤ及び音声インターフェースなどの外部通知機構を有してもよい。こうした機器は、プロセッサ２０２及び他の部品がバッテリの電力を保持するために終了され得るにも拘わらず、起動時にそれらが通知機構によって命令される期間にわたってオンのままであるように電源に直接連結され得る。ＬＥＤは、機器の電源が入れられた状態を示すためにユーザが処置を取るまでいつまでもオンのままであるようにプログラムされてよい。音声インターフェースは、ユーザに音声信号を提供し、ユーザからの音声信号を受信するために使用され得る。例えば、音声インターフェースは、音声出力を提供するためのスピーカに連結されてよく、及び、例えば電話の会話を容易にするために音声入力を受信するマイクロフォンに連結されてよい。
【００４０】
通信モジュール２１４は、無線周波数通信を送信する及び受信する機能を実行する。通信モジュール２１４は、通信事業者又はサービスプロバイダを介した携帯機器１０２と外部の世界との間の無線接続性を促進する。通信モジュール２１４への送信及び通信モジュール２１４からの送信は、他のモジュール２１６のオペレーティングシステムの制御の下で実施され得る。言い替えれば、通信モジュール２１４によって受信される通信は、オペレーティングシステムを介したアプリケーションプログラムに広められ、またその逆も同じである。
【００４１】
動作時、電話承認モジュール（ＣＡＭ）１０８は、携帯機器１０２が特定の条件を満たす場合に安全プロトコル動作の実施を管理する。例えば、携帯機器１０２が例えば刑務所などの特定の環境に進入すると必ず、電話承認モジュール１０８が、特定の環境の様々な位置に展開された１以上のセンサ（又はプロトコルアクティベータ）１０６を発見するように通信モジュール２１４に命令を出す。通信モジュール２１４は、展開されたセンサのタイプに応じてブルートゥース送信又はＲＦＩＤ、ＷｉＦｉ、ジグビー、及び近距離送信を介した１以上のセンサ１０６との通信能力を携帯機器１０２に提供する。１以上のセンサ１０６の各々が、例えばブルートゥースセンサの場合に媒体アクセス制御アドレスなどの汎用一意識別子（ＵＵＩＤ）によって特徴付けられ得ることに留意されたい。代替として、１以上のセンサ１０６は、特定の機器名、機器の種類、及び機器のタイプに特定のコードを割り当てることによって安全プロトコルを実施するために標準化され得る。
【００４２】
前述したように、１以上のセンサ１０６が、特定の環境内でトリガ信号を送信するように構成されている。通信モジュール２１４は、そうしたトリガ信号と、１以上のセンサ１０６によって送信される発見情報と、を受信する。代替の実施形態では、クエリモジュール２１０が、発見情報のために１以上のセンサ１０６にクエリを行う。こうしたクエリを行うことは、受動センサ１０６の場合に役立つ。発見情報は、センサの機器名と、特定の環境に関連した種類情報と、に該当する。１以上のセンサ１０６は、一連の英数字の文字のセットの形態の発見情報をブロードキャストする。そうした各セットは、特定の環境及びプロトコル動作に対応する。そうしたクエリを行うことが可能な別の場合は、彼らの携帯機器と関連した様々な所望の動作を有する様々なワーキンググループがある場合である。こうした場合、クエリモジュール２１０は、ＲＦＩＤリーダ２３０に、ワーキンググループを特定するために人々の従業員バッジ上のＲＦＩＤタグを検出して読み出すことを命令する。発見情報は、プログラムデータ２０８の発見情報２１８に記録される。
【００４３】
発見情報の受信時、電話承認モジュール１０８は、発見情報に基づき携帯機器１０２のプロトコル動作を特定するように構成されている。一実施形態では、発見情報は、特定の環境の種類に加えてワーキンググループ情報を有してもよい。動作時、ＣＡＭ１０８は、安全プロトコルモジュール２１２に、受信した発見情報に対応するプロトコル動作を特定することを命令する。
【００４４】
標準の携帯通信機器の安全プロトコル
表１は、標準の携帯機器安全及び注意散漫防止プロトコルのセットの例示の代表例を示している。ワーキンググループは、標準化されて、異なるメーカーからのすべての携帯機器１０２のファームウェアに含まれている。第１縦行はコードに対応し、第２縦行はワーキンググループに対応し、第３縦行は、所定のコードに対応する内容を示しており、及び、第４縦行は、携帯機器１０２のためのプロトコル動作を示している。典型的なＭＡＣアドレス：ＵＵＩＤ−１１：Ａ２：２３：ＦＥ：４０を検討する。
【００４５】
表に示すように、「１１：Ａ２」はワーキンググループを表しており、及び、内容に応じて、対応のプロトコル動作が選択され得る。
【００４６】
【表１】
0005789609.tif 000002
【００４７】
提案されたプロトコルは、すべての携帯機器にわたって包括的に適用されることが望ましく、及び、登録されていない互換性がない電話は、ネットワーク内でそれらを動作不能にする又は機能しないようにすることによってシステムから除去されることが望ましい。従って、すべての携帯機器メーカーが、提案されたプロトコルに基づきソフトウェアを実装することも望ましい。州及び法執行機関が、それらの特定の州に進入するすべての携帯機器のためにどのプロトコルが起動されるかを選択することができる。例えば、機器がカリフォルニア州で起動されてＣＡＭ１０８がコード「１１１１１１１１」を検出する場合、その後、ＣＡＭ１０８は自動的にコード「２２２２２２２２」を自動的に探す。両方のコードがＣＡＭ１０８によって発見された場合、その後、携帯機器の携帯のテキスト及び電子メール機能が、表１で特定される安全プロトコルに従って禁止されることが可能である。
【００４８】
安全プロトコルが起動されることが必要な特定の環境は、人目を引く位置に設置された１以上のセンサ又はプロトコルアクティベータ１０６を有していることも望ましい。そうした各センサは、携帯機器１０２で実施される安全プロトコルとの互換性を有するように前述したように標準化されることも必要である。例えば、自動車メーカー、学校、裁判所、刑務所、公共の輸送システム、病院などは、それらの提案されたプロトコル及び携帯機器の所望の動作に従って信号を送信するように構成された１以上のプロトコルアクティベータ１０６を有し得る。例えば教会及び映画館などの特定の環境は、それぞれ予定された礼拝及び映画のためにタイムレコーダに従って送信するように構成された１以上のセンサ１０６を有し得る。親は、子供の部屋のセンサを、登校日の前の夜及び非登校日の夜の前で異なり得る予定された就寝時刻のためのタイムレコーダに従って構成されるようにすることができる。
【００４９】
典型的なシナリオは、携帯機器の活動を不許可にすることが所望され得る刑務所や教室内で携帯機器１０２の機能を禁止することであり得る。ブルートゥースセンサ又は他のトランスミッタが、囚人及び生徒に携帯機器を使用させない環境内に戦略的に配置されてよい。守衛及び教員の従業員バッジに埋め込まれたＲＦＩＤタグは、それぞれの特定の環境内で彼らの電話の使用を許容し得る。
【００５０】
別の実施形態では、システム１００は、輸送車両内のドライバー以外の乗客又は車両の乗員の安全を保証するために使用され得る。車両の乗員が、常に注意及び世話が必要な子供又は身体障害者又は禁治産者である場合があり得る。ドライバー又は親が、寝ている子供を車内に忘れて車両から許容距離を超えて行く場合、安全プロトコルは、子供がまだ車両内にいることを親又はドライバーにシステムが通知することを可能にする。表１に示すように、ＣＡＭ１０８が内容を「３３３３３３３３」として解釈する場合、子供の親は、所持している携帯機器１０２を鳴らすことによって通知される。セルフォンは、鳴って、「子供が車の中に取り残されている」ことを表示して、寝ている子供に対する事故の発生を防止する。システムと通信するセンサ（例えばブルートゥースエミッタ）が子供に取り付けられる。
【００５１】
ブルートゥースアドレスコード
プロトコルの定義に含まれるすべての特定の環境は１以上のプロトコルアクティベータ又はセンサを有しているので、携帯機器１０２の機能を制御するシステム及び方法は、それらの識別子に関して特定のセットのセンサの標準化を必要とし得る。標準化は、新しくて有用なセットの標準アドレスコードを提供することを包含し得る。特定の環境内にセンサとして展開されるブルートゥース機器の例の場合では、ブルートゥース機器のＭＡＣアドレスが汎用一意識別子コード（ＵＵＩＤ）として機能する。例示のアドレスコードシステムが図３に示されている。図示するように、アドレスコード３００は、最下位バイトである第１バイト及び最上位バイトである第６バイトを有する６バイト（典型的なＭＡＣアドレス）を包含している。バイト１〜４は、他のブルートゥース機器との干渉を避けるため、発行されたランダムのバイナリ値を表している。バイト１〜４は安全プロトコルでは使用されない。第５バイトは、安全プロトコルにおける定義に従って機器のタイプ（又は、特定の環境の種類）を表している。例えば、第５バイトのビットは、表２で以下に示すような以下の機器のタイプ又は特定の環境に該当し得る。
【００５２】
【表２】
0005789609.tif 000003
【００５３】
アドレスコード３００の最上位バイトの８ビット（又は第６バイト）は、送信のモード及び識別子の範囲を定義するように構成され得る。例えば、第６バイトの最下位ビット（ＬＳＢ）ｂ１は、ビット値ブロック３０２に示されるように、ビット値がバイナリ１に対応する場合には「ユニキャスト」送信を表しており、及び、ビット値がバイナリ０を対応する場合には「マルチキャスト」送信を表し得る。同様に、第６バイトの第２ビットｂ２は、ビット値ブロック３０４に示されるように、ビット値がバイナリ０に対応する場合には「グローバル一意識別子（ＯＵＩ強制）」を表しており、ビット値がバイナリ１に対応する場合には「ローカル管理」識別子を表し得る。ビットｂ３〜ｂ８は、セルラー注意散漫防止ＩＤ（バイナリ０又は１）を表している。
【００５４】
代替の実施形態では、６バイトの長さのアドレスコード（又はＭＡＣアドレス）が、３バイトの長さのネットワークインターフェースコントローラ（ＮＩＣ）の特定部分及び３バイトの長さの組織的な一意識別子（ＯＵＩ）部分を有し得る。
【００５５】
さらに別の実施形態では、アクティブなブルートゥースセンサが、ＭＡＣアドレス及び／又は特定の環境の定義されたパラメータ内でトリガ信号としての機器名をブロードキャストする場合があり得る。この場合、プロトコルを使用可能な携帯機器は、機器名のみに基づきそうしたトリガ信号に自動的に応答し、従って、特定のプロトコル命令を実行する。適切な携帯機器プロトコル命令は、ペアリングを必要とせずに実行される。
【００５６】
さらに別の実施形態では、範囲内の１以上のセンサ１０６が識別可能なＭＡＣアドレスを有していない場合があり得る。この場合、クエリモジュール２１０が、機器名及び／又はブルートゥースの種類を得るために追加リクエストを発行し得る。範囲内の１以上のセンサ１０６又は他の機器が、それらの対応の情報に応答する。
【００５７】
電話承認モジュール１０８は、このようにして受信された発見情報を連続的に認識して、安全対応プロトコル動作を実行する。この場合、代替のアドレスコードが、図３に示すように６バイトを含み得る。この代替のアドレスコードでは、バイト１〜４が、他の機器との干渉を避けるために、発行されたランダムのバイナリ値に対応する。第５バイトのビット（ｂ１〜ｂ８）は、各機器のタイプに一意である安全プロトコル機器タイプ名（又は特定の環境）を表している。異なるビット値に対応する例示の命名は以下の表３で示されている。
【００５８】
【表３】
0005789609.tif 000004
【００５９】
アドレスコード３００の最上位バイト（又は第６バイト）の８ビットは、送信モード及び識別子の範囲を定義するように構成され得る。例えば、第６バイトの最下位ビット（ＬＳＢ）が、ビット値ブロック３０２に示されるように、ビット値がバイナリ１に対応する場合に「ユニキャスト」送信を表しており、ビット値がバイナリ０に対応する場合に「マルチキャスト」送信を表している。同様に、第６バイトの第２ビットが、ビット値ブロック３０４に示されるように、ビット値がバイナリ０に対応する場合に「グローバル一意識別子（ＯＵＩ強制）」を表し、ビット値がバイナリ１に対応する場合に「ローカル管理」識別子を表し得る。ビットｂ３〜ｂ８は、セルラー注意散漫防止ＩＤ（バイナリ０又は１）を表している。表２及び表３で示されるブルートゥースアドレスコードは、プログラムデータ２０８のブルートゥースアドレスコード２２２内に予め記憶され得る。
【００６０】
ルックアップテーブル（ＬＵＴ）
標準のセルラー安全プロトコルは、適切なハードウェア及びソフトウェアモジュール、アプリケーションソフトウェア、オペレーティングシステム（ＯＳ）、及びデータ構造を使用することによって実施され得ることに留意されたい。例示の携帯機器１０２は、安全プロトコルの汎用的な実施を可能にするすべてのそうした機能ブロックを有している。提案されたプロトコルは汎用的に実施されることが好ましいので、プロトコルは機器製造標準として採用されることが好ましい。その結果、すべての異なるメーカからのすべての携帯機器がその標準に従うことが好ましい。
【００６１】
一方で、例えば刑務所、学校、病院、輸送車両などの特定の環境は、安全プロトコルの有効な実施のための戦略的な配置にプロトコルアクティベータ１０６を有しなければならない。さらに、プロトコルアクティベータ１０６は、携帯機器１０２と協働して作動するために提案されたアドレスコードに従って標準化されなければならない。
【００６２】
一実施形態では、安全プロトコルによって定義された安全プロトコル動作のセットが、ＬＵＴ２２０のプログラムデータ２０８に記憶されたルックアップテーブル（ＬＵＴ）によって表される。例示のＬＵＴが以下の表４に示されている。
【００６３】
【表４】
0005789609.tif 000005
0005789609.tif 000006
0005789609.tif 000007
【００６４】
ＬＵＴに示されるように、ＨＥＸの機器名が、発見情報として１以上のセンサによって送信される。電話承認モジュール１０８は、特定の環境で１以上のセンサ１０６の機器名を要求することをクエリモジュール２１０に命令することもできる。機器名の受信時、安全プロトコルモジュール２１２はＬＵＴ２２０（例えば表４）にアクセスして、機器タイトル、又は、機器名に対応する特定の環境を特定する。例えば、ＨＥＸの機器名「０７」は「車両７」に対応する。対応して電話承認モジュール１０８によってとられるべきプロトコル動作又は動きは、携帯機器１０２を完全に禁止することである。同様に、ＨＥＸの機器名「２８」は機器記号「病院１」に対応しており、対応のプロトコル動作は、携帯機器１０２に音を出させないようにすることである。様々な機器記号が、同一の又は異なる特定の環境における様々な機器に対応することに留意されたい。例えばＨＥＸの機器名「１４」〜「１Ｄ」は、刑務所の様々な位置に展開された様々なセンサに対応する。ＨＥＸの機器名「４６」〜「ＦＦ」は将来の使用のために確保される。他のデータ２２４は、標準の携帯機器注意散漫防止及び安全プロトコルを実施するプロセス中に初期化されるフラグ値、変数を含む。
【００６５】
電源内蔵ブルートゥースセンサ
図４は、一実施に係る電源内蔵ブルートゥースセンサ４００を形成するために使用されるべき構成要素を示している。安全プロトコルの実施及びシステム１００に向けられた主要な挑戦の１つは、携帯機器１０２と協働して作動するブルートゥースセンサに電力を供給する必要があることである。既存のシステムでは、ブルートゥースセンサは、電源への直接配線、又は、提案の安全プロトコルの汎用性を時間及びコストをかけて提供され得る単純な交換バッテリによって電力を供給される。従来のシステムでは、困難な配線をせずに又はバッテリを交換せずに１以上のセンサ１０６に電力を供給するための単純で費用効率が高い方法はない。従って、困難な配線又はバッテリ交換を必要としない電源内蔵ブルートゥースセンサを展開する必要性が十分にある。
【００６６】
この目的のため、例示の電源内蔵ブルートゥースセンサアセンブリ４００はコイルアセンブリ４０２を有している。コイルアセンブリ４０２は、磁石４０４と銅線巻き線４０６とを有している。磁石４０４は同軸上に配置されており、銅線巻き線４０６は、筒状ワックスペーパ内に巻き付けられており、プラスチック製円筒チューブ内に含浸させられる。電源内蔵ブルートゥースセンサアセンブリ４００は、コイルアセンブリ４０２に電気的に接続される整流モジュール４０８をさらに有している。整流モジュール４０８は、磁心を介してすべての移動の運動エネルギーを利用するために横方向に設置される。整流モジュール４０８はウルトラコンデンサとバックアップバッテリとを有している。整流モジュール４０８は、信号を送信する又は受信するように構成されたブルートゥースセンサ４１０につながっている。こうしたブルートゥースセンサは、困難な配線を接続する必要なく又はバッテリ交換を必要とせずに長い期間にわたってそれ自身で電力を供給することができる。
【００６７】
ブルートゥースセンサアセンブリ４００が、（例えば、車内の加速又は減速による運動からの、若しくは、ドアの開閉又は天井ファンの旋回によって生じる運動からの）運動を経験する場合、磁界を形成するコイルアセンブリ４０２内で磁石４０４がスライド移動する。磁界を広げる及び弱めることは、ウルトラコンデンサ内で整流されて蓄積されるために整流モジュール４０８に供給されるＡＣ電圧を作り出す。ウルトラコンデンサ内の過電圧はバックアップバッテリを充電するために使用される。整流モジュール４０８の出力は、ブルートゥースセンサ４１０に電力を供給するために使用されるＤＣ電圧である。
【００６８】
安全プロトコルの強制
例示の実施形態では、特定の環境は例えば車などの輸送車両に該当し得る。運転中の携帯機器の使用によって引き起こされる注意散漫によって多数の事故が生じる調査及び統計が示されてきた。提案された安全プロトコルは、電話承認モジュール１０８が運転モードを検出した場合に携帯機器１０２の使用を妨げるように構成されることが可能である。そうした車両安全システムが機能する方法は、同時係属の米国特許出願第１２／５８５，５０３号明細書に開示されており、参照によって本願に組み入れられる。
【００６９】
何年にもわたって、シートベルトが生命を救って生活への被害を阻止する調査研究が示されてきた。さらに、多くの法律が、車を運転中のシートベルトの使用を必要とするために制定されてきた。より最近では、通勤中の運転の間にセルフォン上のテキストメッセージ及び電子メール機能をドライバーが使用する時に恐ろしい危険があることを詳述する多くの研究が現れてきている。多くの州は、車両を運転中のそうした危険なセルフォンの使用を規制する法律を承認している。シートベルの法律とセルフォンの法律との両方にある主要な問題は、適切な施行に内在する困難である。
【００７０】
ドライバーが、シートベルトを着用しないことによって、又は、車両の運転時に携帯電話上でテキストメッセージ及び電子メールを使用することによって、のいずれかによって、危険な又は違法な方法で輸送車両又は車を運転する場合に、保安官及び他のドライバーが警告されるための検出又は通知の簡単で決定的な方法は存在しない。
【００７１】
従って、保安官に、及び、危険な又は違法な方法でドライバーが車両を運転する車両の通りすがりのドライバーに、簡単に警告するための簡素で費用効果の高い解決策に対する要求がある。
【００７２】
この目的のため、図５は、他人に彼らの車両の運転を許容する場合に携帯機器の制限を強制するための性能を車両の所有者に付与する装置を示している。車両のドライバーは、安全プロトコルを実施する携帯機器５０２（携帯機器１０２の一実施形態）を持ち歩いている。携帯機器５０２は、電話承認モジュール１０８と、ファームウェアの一部として組み込まれた安全プロトコルと、を有している。
【００７３】
典型的な車両は、輸送車両の状態を示す１以上の車両部品を有している。車両部品は、サイドブレーキ、トランスミッションギア、アクセル、ブレーキ、走行距離計、回転速度計、ホイール、エンジン部品、及び、ハンドル、又は車両の動きと関連した状態又は位置変化を受けることが可能な他のそうした部品を含み得る。当業者には理解されるように、そうした車両部品は、車両が、移動し始める又は完全に停止する時に状態又は位置の関連した変化を有する。車両部品の状態又は位置の変化は、車両の内側の携帯機器５０２の動作を制御するためにＣＡＭ１０８によって検出されて利用される。車両部品は、例えば状態及び／位置情報又はトリガ信号などの発見情報を送信する１以上の関連したセンサ１０６を有している。
【００７４】
ここで図５を参照すると、システム５００は、車両のドライバーによる携帯機器１０２の使用を防止して、それによって、車両の運転操作中に多大な安全を提供する。従って、システム５００は、ＣＡＭ１０８及びブルートゥース通信技術を有する携帯機器５０２を有している。システム５００は、ドライバーシート内に組み込まれたＲＦＩＤトランスポンダタグを有するドライバーシートセンサ（ＤＳＳ）５０４と、ドライバーシートの側面の一方上にＲＦＩＤタグリーダ５０６と、をさらに有している。システム５００は、一周したシートベルト（ＣＳＢ）アセンブリ５０８と、トランスミッションギアシフト検出アセンブリ（ＴＡ）５１０と、警告信号インジケータ（ＷＳＩ）５１２と、をさらに有している。トランスミッションギアシフト検出アセンブリ５１０は、ギアシフトトランスミッタ５１４を介してギアシフトの位置又は状態を送信する。システム５００は、図示していないものの、危険で違法な運転の特定時にシステムを動作させる状態又は位置を示すように構成され得る、例えば所有者の承諾キー（ＯＣＫ）、点火装置、ホーン、ライト、ラジオなどの追加の車両部品を有してよい。
【００７５】
ＣＡＭ１０８は、車両内で安全プロトコルを実施するために、例えばＤＳＳ５０４、トランスミッションギアシフト検出アセンブリ５１０、ＣＳＢアセンブリ５０８、及びＷＳＩ５１２などの１以上の車両部品に信号を送信してそれらの車両部品から信号を受信する。例えば、ドライバーのシート領域に見えないように組み込まれたＲＦＩＤトランスポンダタグを有するＤＳＳ５０４は、ドライバーのシート領域内に携帯機器５０２があることをＣＡＭ１０８に通知する。トランスミッションギアシフト検出アセンブリ５１０は、車両が動作させるギアに応じて磁界を開閉するように設計されたトランスミッションギアシフト装置の制約内に戦略的に配置される一連の磁石スイッチを有している。車両が駐車位置の外側に出される場合、回路は、ＣＡＭ１０８に通知を送信することを即座に終了させる。
【００７６】
ＣＳＢアセンブリ５０８は、ＲＦＩＤタグ及び固定ＲＦＩＤタグリーダ５０６が組み込まれた、一周したシートベルトバックル、シートベルトロックピン、不正防止シートベルトハーネスを有している。不正防止ＣＳＢ回路は、ロッキングバックル及びピンが適切なロック位置に係合して不正防止ＲＦＩＤフィールドが開放される時に完全（又は安全）になる。シートベルトハーネスに組み込まれた不正防止ＲＦＩＤタグは、開放フィールドを作り出す固定ＲＦＩＤタグリーダ５０６を超えて広がることが可能である。
【００７７】
ＷＳＩ５１２は、安全取締官及び通りがかりの車両によって効果的に見られるべき可視光、可視アンテナ、又は、通知装置に該当する。
【００７８】
動作時、車両のドライバーが車に入る時、ＣＡＭ１０８を有する携帯機器１０２は、ＤＳＳドライバーシートセンサ５０４を検出する。ドライバーが車両のトランスミッションを「パーク」の外側にすると、トランスミッションギアシフト検出アセンブリ５１０はＣＡＭ１０８に通知を送信する。ＣＡＭ１０８は、その後、ＣＳＢアセンブリ５０８が適切に係合されることの確認を求める信号を送信する。ＣＳＢアセンブリ５０８が適切に係合されていない場合、ＷＳＩ５１２は、保安官及びシートベルトをしていないドライバーの運転の通りがかりの車両に警告するために本能的に目に見える信号をキャストするように通知される。
【００７９】
警告信号は、車両が「パーク」の位置に戻されるか、又は、不正防止ＣＳＢ５０８が、前述したように完全に係合されるか、のいずれかまで継続する。ＣＳＢアセンブリ５０８が前述の方法で完全に係合される場合、ＣＡＭ１０８は、ドライバーがテキスト送信をしている又は電子メールを送受信しているかどうかを特定するためにポーリングし続ける。ドライバーがテキスト送信又は電子メールの送受信をしている場合、ＣＡＭ１０８は、保安官及び危険な又は違法の携帯機器の使用の通りがかりの車両に警告するためにさらに別の本能的に目に見える信号をキャストするＷＳＩ５１２に通知する。ＷＳＩ５１２は、危険な又は違法のセルフォンの活動が終了した後の特定の期間にわたってその警告状態を継続する。
【００８０】
ＣＡＭ１０８は、携帯機器５０２のファームウェアに組み込まれた安全プロトコルを参照することによって安全ルールの違反を特定する。例えば、安全プロトコルモジュール２１２は、ＣＳＢアセンブリ５０８又はトランスミッションギアシフト検出アセンブリ５１０の位置に対応する安全コードを特定するロジックを含む。安全プロトコルモジュール２１２は、ＷＳＩ５１２にＣＡＭ１０８が送信する対応の警告コードを特定する。車両のエンジン制御ユニット（ＥＣＵ）は、車両部品を監視して車両部品と通信するように構成されることが可能であり、安全プロトコルを強制するためにＣＡＭ１０８と通信する。
【００８１】
図６は、一実施形態に係る車両の、車両部品、エンジン制御ユニット、及び携帯機器５０２の配置を示している。図示するように、ＷＳＩ５１２は、保安官及び他の通りがかりの車両が、ＷＳＩ５１２によって発行された警告信号を容易に見ることができるように、車両の外側上の位置６０２にあり得る。ＷＳＩ５１２は、危険で違法な車両の運転に注意が容易に引きつけられるように複数の位置に展開されることも可能である。携帯機器５０２は、ドライバーシートに近接した位置６０４である。ＥＣＵは、車両シャーシの前面の位置６０６にあってよい。トランスミッションギアシフト検出アセンブリ５１０はドライバーシートの近くの位置６０８であってよい。
【００８２】
一実施形態では、携帯機器１０２の動作は、輸送車両の非常／サイドブレーキの位置に基づいて制御され得る。例えば、車安全装置システムは輸送車両内に設置され得る。車安全装置システムは、非常ブレーキシステムに並列に設置され得る。車両の非常ブレーキがかけられると、ドライバーシート領域の携帯機器はなんら禁止されずに使用されることが可能である。非常／サイドブレーキが解放されると、設置された電子センサ（例えば非常ブレーキセンサ）が、ドライバーの携帯機器１０２を完全に又は部分的に不能にするためにＣＡＭ１０８にトリガ信号を送信する。
【００８３】
車両乗員安全システム
図７は、一実施形態の子供又は車両乗員の安全を保証するシステム７００を図示している。従って、システム７００は、ユーザ７０４によって持ち歩かれる携帯機器７０２（携帯機器１０２の一実施形態）を備えている。携帯機器７０２は、信号処理のための第１演算システムを有している。ユーザ７０４は、車のドライバー又は、輸送車両内を動きまわる子供の親であり得る。システム７００は、子供によって着用され得るセンサ７０６、又は、図に示すように子供の体重によって起動される圧力起動センサに取り付けられ得るセンサ７０６をさらに有している。例示の実施形態では、センサ７０６は、発見情報「tsf.child」（プロトコルの一部、表３参照）を発するブルートゥースセンサであり得る。システム７００は、センサ７０６及び１以上の車両部品７１０と通信する第２演算システム（ＥＣＵ）７０８をさらに有している。前述したように、車両部品７１０は、ギアシフトトランスミッションアセンブリ、サイドブレーキなどに対応し得る。車両部品７１０は、車両がパーキングの外側にあるか又は運転されているかどうかを表示するように構成されている。車両が運転モードにあって子供が車の中にいる場合、電話は、「tsf.child」信号を含む発見情報を受信する。ＣＡＭ１０８は、表３に示すような子供監視オプションを停止させて起動させる。車のエンジンが停止される目的地ではドライバーは車から歩いて離れる。ＣＡＭ１０８が、子供センサ７０６からの「tsf.car」を既定の時間間隔で検出しない場合、子供が車の中に置き去りにされてことをドライバーに警告するために携帯機器１０２を起動させる。子供が車から連れ出されると、ＣＡＭ１０８はタイムアウトして子供モニタオプションをリセットする。
【００８４】
例示の方法
図１、図２、図３、図４、図５、図６、及び図７並びに対応の説明を特に参照して以下の方法の説明が提供される。図８は、一実施形態に係る携帯機器１０２の安全プロトコル動作を起動する方法８００を示している。携帯機器の注意散漫防止及び安全プロトコル実施可能な動作は、特定の条件を満たす時に有効になる。一実施形態では、特定の条件は、特定の環境に進入することに対応し得る。特定の環境は、教室、矯正施設、空港、飛行機、法廷、病院、教会、映画館、飛行区域、危険地帯、観客席、寝室、又は、任意の他のアリーナ、又は、携帯機器１０２の動作を制御することが所望される環境に対応し得る。
【００８５】
さらに、特定の条件を満たすことは輸送車両内の事象に対応し得る。こうした事象は、輸送車両の状態を示し得る１以上の車両部品の移動を含み得る。車両部品は、限定されないものの、サイドブレーキ、トランスミッションギア、アクセル、ブレーキ、走行距離計、回転速度計、ホイール、エンジン部品、及び、ハンドル、又は、車両の移動に関連した状態又は位置変化を受けることが可能な他のそうした部品を含み得る。当業者には理解されるように、そうした車両部品は、車両が移動し始める又は完全に停止する時に状態又は位置の関連した変化を有する。
【００８６】
特定の条件を満たすことは、特定の数列のダイアル又は特定の速度ダイアルを押すことにも対応し得る。特定の数列は、犯罪の緊急事態の特定の場合を示す既定の番号のセットであり得る。例えば、携帯電話は、脅迫的な電話、テキスト、又は電子メールを受信する場合、即座のアクションが自動的になされ得る。即座のアクションは、犯罪行為の潜在的な処理のためにデータバンクに連絡先の詳細（送信者の番号、電子メールなど）を送信することに該当し得る。こうした自動的なアクションは、携帯電話１０２内の安全プロトコル動作として構成され得る。
【００８７】
図８を参照すると、ブロック８０５で、少なくとも１つのプロトコルアクティベータが発見される。１以上のプロトコルアクティベータ１０６は、特定の条件に関連した発見情報を送信するように構成される。一実施形態では、プロトコルアクティベータは、既定の機器名及び／又は特定の環境に関連した種類によって特徴付けられる予め標準化されたブルートゥースセンサに該当し得る。
【００８８】
一実施形態では、発見することは、特定の環境で１以上のプロトコルアクティベータを探す工程を有している。ＣＡＭ１０８は、特定の環境でプロトコルアクティベータ１０６を探すことを通信モジュール２１４に命令する。そうした一実施では、通信モジュール２１４は、１以上のプロトコルアクティベータ１０６から発見情報を得るための１以上のリクエストを送信する。発見情報は、プロトコルアクティベータ１０６の機器名及び／又は種類に対応し、種類は特定の環境の情報である。発見処理は、例えば表４などのルックアップテーブル（ＬＵＴ）にアクセスする工程と、特定の環境に関連した発見情報に対応するエントリを特定する工程と、も有している。
【００８９】
ブロック８１０では、注意散漫防止安全プロトコル動作は、発見情報上の少なくとも一部に基づき携帯機器で起動される。発見情報の受信時のＣＡＭ１０８は、発見情報に対応する安全プロトコル動作をＬＵＴから特定することを安全プロトコルモジュール２１２に命令する。連続した処理では、ＣＡＭ１０８は、携帯機器１０２の特定された安全プロトコル動作を起動する。一実施では、安全プロトコル動作を起動する工程は、携帯機器１０２に関連した１以上の機能を部分的に又は全体的に不能にする工程を有している。安全プロトコル動作は、携帯機器を部分的に又は完全に不能にすること、テキスト送信機能を不能にすること、メール送信機能を不能にすること、電話機能を不能にすること、安全プロトコル強制モードを可能にすること、及び、携帯機器のそれぞれの子供安全モードを可能にすること、の１以上に該当する。
【００９０】
所定の場合には、様々なワーキンググループを区別して、様々なワーキンググループのためのプロトコル動作の様々なセットを実施することが所望であり得る。発見情報は、そうした情報を含んでよく、又は、ＣＡＭ１０８は、特定の環境で特定のワーキンググループに関連した追加の情報を集めることをＲＦＩＤリーダ２３０に命令することが可能である。その後、安全プロトコルモジュール２１２は、特定のワーキンググループ、機器名、及び種類それぞれに対応するプロトコル動作を特定する。
【００９１】
さらに別の実施形態では、起動する工程は、発見情報が特定の環境での違法な又は危険な運転に対応する場合に警告信号を発する工程を有している。例えば、輸送車両の場合、１以上のセンサ又はプロトコルアクティベータが、違法な又は危険な運転モードを示す状態又は位置情報を提供する様々な車両部品に対応し得る。ドライバーは、シートベルトを無視し得る、又は、運転中にテキストメッセージ又はメールを送信し得る。そうしたシナリオでは、ＣＡＭ１０８は、危険な又は違法なモードの検出時に、警告信号インジケータ（ＷＳＩ）５１２に対して警告信号を発する。ＷＳＩ５１２はその後、安全取締官及び通りがかりの車両によって見える警告信号を送信する。
【００９２】
図９は、特定の環境内で携帯機器の機能を制御する方法９００を図示している。従って、ブロック９０５では、トリガ信号は特定の環境内でブロードキャストされる。１以上のセンサ１０６が、特定の条件の開始を検出する作動機構によってトリガ信号を送信するように起動され得る。一実施では、こうした作動機構は、輸送車両の場合に傾斜スイッチであり得る。
【００９３】
ブロック９１０では、トリガ信号及び特定の環境に関連した種類が特定される。ＣＡＭ１０８は、特定の環境に関連した種類及びトリガ信号からのワーキンググループを特定する。
【００９４】
ブロック９１５では、プロトコル命令動作のセットは、特定された種類及び／又は特定の環境の少なくとも一部に基づき携帯機器で実施される。ＣＡＭは、トリガ信号、特定された種類、及びワーキンググループに対応するプロトコル命令動作のセットを実施する。一実施形態では、実施することは、携帯機器１０２に関連した機能を部分的に又は完全に不能にする工程を有している。
【００９５】
プロトコル命令動作は、１以上の既定の又はプログラム可能な番号への緊急電話を可能にする。例えば、特定の環境のいずれかの場合には、安全プロトコルは、例えば米国の「９１１」、インドの「１１２」などの非常時に特別な番号に電話がなされることを可能にする。こうした特別な番号は、任意のプロトコル命令動作に対する例外として予めプログラムされて含まれ得る。
【００９６】
別の例では、安全プロトコルは、子供が携帯機器を持ち歩く場合に特別な番号（親の番号）への電話を可能にし得る。こうした特別な番号をプログラムすることは、携帯電話のメーカー又はサービスプロバイダによって提供される特徴であってよい。安全プロトコルは、そうした特徴に適応するように構成され得る。
【００９７】
図１０は、一実施形態で輸送車両内の携帯機器の動作を制御する方法１０００を示している。ブロック１００５では、車両内の既定の制限範囲内でトリガ信号をブロードキャストするように構成されたセンサが起動される。一実施形態では、起動は、車両移動を特定するように構成された１以上の車両部品及び／又は傾斜スイッチ機構の状態又は位置に少なくとも基づいている。１以上の車両部品は、サイドブレーキ、トランスミッションギアシフトアセンブリ、アクセル、ブレーキ、走行距離計、回転速度計、ホイール、シートベルトアセンブリ、エンジン部品、及びハンドルを含む。
【００９８】
ブロック１０１０では、トリガ信号に少なくとも部分的に基づいたプロトコル動作が携帯機器１０２で実施される。一実施形態では、ＣＡＭ１０８は、センサ１０６のみの既定の制限範囲内で携帯機器１０２のプロトコル動作を実施する。プロトコル動作の実施は、携帯機器に関連した１以上の機能を不能にする工程を有している。こうした機能は、電話をかける、電話に出る、電子メール、ブラウジング、リーディング、テキストメッセージ、又は、携帯機器１０２に関連した任意のその他の機能を含む。
【００９９】
本発明の教示が、ハードウェア及びソフトウェアの組み合わせとして実施され得ることが理解されよう。ソフトウェアは、コンピュータ読み取り可能な媒体内に明確に組み込まれたプログラム命令のセットを備えるアプリケーションプログラムとして実施されることが好ましい。アプリケーションプログラムは、適切なアーキテクチャのコンピュータ又はプロセッサなどのハードウェアによって読み出されることが可能であり実行されることが可能である。同様に、当業者であれば、任意の例、機能ブロックダイアグラムなどが、そうしたコンピュータ又はプロセッサが明確に示されるかどうかに拘わらず、コンピュータ又はプロセッサによって実行可能な媒体で具現化され得る様々な例示の機能を表すことが理解されよう。プロセッサは、コンピュータ読み取り可能な媒体上に記憶されるアプリケーションプログラム又はデータを実行することができる従来使用されるデジタル信号プロセッサ（ＤＳＰ）又は任意の他のプロセッサであり得る。
【０１００】
例示のコンピュータ読み取り可能な媒体は、限定されないものの、適切なアーキテクチャの機械によって実行可能なアプリケーションプログラムを実行可能な（ランダムアクセスメモリ）ＲＡＭ、（リードオンリーメモリ）ＲＯＭ、（コンパクトディスク）ＣＤ、又は任意の磁気又は光学記憶ディスクであり得る。コンピュータ読み取り可能な媒体が任意の形態の有線伝送も含むことに留意されたい。さらに、別の実施では、本発明に係る方法は、ＡＳＩＣ又はＦＰＧＡ技術を使用するハードウェア媒体上に組み込まれ得る。
【０１０１】
特許請求の範囲の主題は、本発明の原理を列挙するために使用される様々な例及び／又は言語に限定されないこと、及び、変形が、その範囲から逸脱しない限り特許請求の範囲を実施するために考慮され得ることが理解されよう。代わりに、本発明の実施形態は構造的な及び機能的なその均等物の両方を包含する。
【０１０２】
本発明の所定の好適な本実施形態及びそれを実行する所定の好適な本方法がここで例示されて説明されてきたが、本発明はそれに限定されないものの以下の特許請求の範囲の範囲内で様々に具現化されて実行され得ることが明確に理解される。
【図１】
0005789609.tif 000008
【図２】
0005789609.tif 000009
【図３】
0005789609.tif 000010
【図４】
0005789609.tif 000011
【図５】
0005789609.tif 000012
【図６】
0005789609.tif 000013
【図７】
0005789609.tif 000014
【図８】
0005789609.tif 000015
【図９】
0005789609.tif 000016
【図１０】
0005789609.tif 000017